(57)【要約】【課題】  従来の不燃紙加工技術は、技術はあるが濃度が２０％〜３０％と高いため満足のいく商品化には至らなかった。【解決手段】  本加工技術は不燃剤が低濃度でも不燃効果をもたらす技術を提供する。  従来技術は濃度が高いため紙質がガラス化し空気中の水分を吸収し、湿気を帯びてしまった。  本技術は不燃剤が低濃度であること、また紙の繊維の細胞内に浸透するため紙本来の性質のまま商品化が出来る。  また吹付工法と併用することにより立体（三次元）加工、又広面積商品も出来、他の物質の被覆材としても応用出来商品の多様化が実現した。【特許請求の範囲】
【請求項１】
和紙系、洋紙系、植物繊維、多こう性合成繊維の素材に不燃機能及び科学（化学）加工を施す素材の改質を目的とする加工技術
【請求項２】
低濃度による、紙質類及び植物系繊維の不燃薬剤による機能向上技術
【請求項３】
紙質類原材料を乾燥状態時にし（特に過乾燥が良い）不燃薬剤液を浸透性の良い４０度〜９０度の水溶液に１％〜１０％の濃度で浸透させ不燃化出来る
【請求項４】
ダンボール紙、古紙再生の不燃加工
【請求項５】
不燃紙類の吹付工法による広面積及び立体加工技術
【請求項６】
不燃紙類の食器、車輌、建築物の断熱材、可燃性物質の被覆材、電気関連の絶縁物質への応用、障子紙、襖紙、和紙畳等の装飾、不燃技術
【請求項７】
不燃紙類の圧縮高密度の酸欠不燃紙技術
【発明の詳細な説明】
【技術分野】
【０００１】和紙、洋紙、紙質材の不燃紙製造、成型を目的とする加工技術
【背景技術】
【０００２】従来の加工技術は、紙製品の状態で不燃剤水溶液濃度２０％〜３０％浸漬又は塗布していた。又、紙製造工程で不燃剤液を吹付ける技術も考案されている。しかし、不燃剤は水分を吸収する性質があるため、湿度の高い環境では２０％〜３０％と濃い濃度では湿気を帯びて白化現象を起こしてしまう欠点がある、又製造工程での吹き付けの方法は不燃化が一定化しなかった。
本考案はコスト、性能、加工面積、立体化（三次元）に関する技術、工法である。
【発明の開示】
【発明が解決しようとする課題】
【０００３】従来は紙製品類の組織が固定化または紙原材料の溶解状態では水分が紙の繊維内で飽和状態となり、低濃度では不燃剤液の効果が低かった。【０００４】和紙原料又古紙再生紙が乾燥状態時に不燃剤水溶液１％〜１０％で溶解し紙製品にすることにより完全な不燃紙が製品化できた。【０００５】不燃薬剤も多数あるが、コスト、安全面、加工性、環境問題などを考慮する必要がある。廃棄の規制が無く、廃液の再利用が出来る農業用肥料の硫酸アンモニウムを使用することによりコスト、安全面、加工性、環境問題などの問題が解決した【０００６】硫酸アンモニウムは３６０度を超えるとアンモニアガスを発生するが、濃度が３％前後と薄く、また薬剤が紙の繊維の細胞内にあるため発生は微量と思われる。【０００７】不燃剤液の濃度が２％〜３％と薄く、また紙の繊維の細胞内にあるため紙質を維持し、空気中の水分にも影響を受けない。【０００８】本不燃紙は濃度が薄いため、他の古紙類との再生が可能である【０００９】和紙、紙質類の吹付工法の原材料として、不燃剤水溶液で溶かした紙質類を吹き付けることで、無限に広い面積の不燃紙の製品が可能になる。又、吹付工法により立体（三次元）加工が出来る。【００１０】和紙は空気層が多いため柔らかく、燃えやすい。不燃化することにより商品の多様化が出来る。【００１１】和紙及び紙質類の低濃度薬剤不燃紙により、例えば軽量の食器、不燃が必要な車輌や公共の建造物などの装飾に、和紙の持つ特性を生かし美術工芸品など多様性のある商品ができる。【００１２】不燃紙類の製造工程において半乾燥状態のときに、圧縮高密度加工により酸欠状態の紙に仕上がり高不燃化となる。建材などの表面に圧着して装飾、不燃化に応用出来る。【００１３】紙質類の不燃化によって、アスベスト、ガラス繊維、ロックウール類の代用品として金属の断熱不燃材として、また可燃性物質の被覆、木材、合成樹脂類の被覆材として吹き付け工法、又張り合わせることにより断熱不燃性が寄与される。【００１４】乾燥状態の和紙、再生紙類の原料を濃度１％〜１０％の不燃剤水溶液を浸透させ紙漉工法、吹き付け工法等で紙状態にし、乾燥させ不燃紙として製品化する。【００１５】工程図
【図１】
2017025462.tif 000002
【手続補正書】
【提出日】平成27年9月17日(2015.9.17)
【手続補正１】
【補正対象書類名】明細書
【補正対象項目名】全文
【補正方法】変更
【補正の内容】
【発明の詳細な説明】
【技術分野】
【０００１】和紙、洋紙、紙質材の不燃紙製造、成型を目的とする加工技術
【背景技術】
【０００２】従来の加工技術は、紙製品の状態で不燃剤水溶液濃度２０％〜３０％浸漬又は塗布していた。又、紙製造工程で不燃剤液を吹付ける技術も考案されている。しかし、不燃剤は水分を吸収する性質があるため、湿度の高い環境では２０％〜３０％と濃い濃度では湿気を帯びて白化現象を起こしてしまう欠点がある、又製造工程での吹き付けの方法は不燃化が一定化しなかった。
本考案はコスト、性能、加工面積、立体化（三次元）に関する技術、工法である。
【発明の開示】
【発明が解決しようとする課題】
【０００３】従来は紙製品類の組織が固定化または紙原材料の溶解状態では水分が紙の繊維内で飽和状態となり、低濃度では不燃剤液の効果が低かった。【０００４】和紙原料又古紙再生紙が乾燥状態時に不燃剤水溶液１％〜１０％で溶解し紙製品にすることにより完全な不燃紙が製品化できた。【０００５】不燃薬剤も多数あるが、コスト、安全面、加工性、環境問題などを考慮する必要がある。廃棄の規制が無く、廃液の再利用が出来る農業用肥料の硫酸アンモニウムを使用することによりコスト、安全面、加工性、環境問題などの問題が解決した【０００６】硫酸アンモニウムは３６０度を超えるとアンモニアガスを発生するが、濃度が３％前後と薄く、また薬剤が紙の繊維の細胞内にあるため発生は微量と思われる。【０００７】不燃剤液の濃度が２％〜３％と薄く、また紙の繊維の細胞内にあるため紙質を維持し、空気中の水分にも影響を受けない。【０００８】本不燃紙は濃度が薄いため、他の古紙類との再生が可能である【０００９】和紙、紙質類の吹付工法の原材料として、不燃剤水溶液で溶かした紙質類を吹き付けることで、無限に広い面積の不燃紙の製品が可能になる。又、吹付工法により立体（三次元）加工が出来る。【００１０】和紙は空気層が多いため柔らかく、燃えやすい。不燃化することにより商品の多様化が出来る。【００１１】和紙及び紙質類の低濃度薬剤不燃紙により、例えば軽量の食器、不燃が必要な車輌や公共の建造物などの装飾に、和紙の持つ特性を生かし美術工芸品など多様性のある商品ができる。【００１２】不燃紙類の製造工程において半乾燥状態のときに、圧縮高密度加工により酸欠状態の紙に仕上がり高不燃化となる。建材などの表面に圧着して装飾、不燃化に応用出来る。【００１３】紙質類の不燃化によって、アスベスト、ガラス繊維、ロックウール類の代用品として金属の断熱不燃材として、また可燃性物質の被覆、木材、合成樹脂類の被覆材として吹き付け工法、又張り合わせることにより断熱不燃性が寄与される。【００１４】乾燥状態の和紙、再生紙類の原料を濃度１％〜１０％の不燃剤水溶液を浸透させ紙漉工法、吹き付け工法等で紙状態にし、乾燥させ不燃紙として製品化する。【００１５】工程図
【図面の簡単な説明】
【００１６】
【図１】和紙では  ▲１▼  水に不燃剤を混入し１％〜３％の水溶液を作る。▲２▼  水溶液に乾燥した和紙原材料を入れ浸透させる。▲３▼  紙漉きまえの不燃和紙水溶液が出来る。  図１再生紙では  ▲１▼  水に不燃剤を混入し３％〜５％の水溶液を作る。▲２▼  水溶液に乾燥し粉砕した古紙を入れ浸透させる。▲３▼  不燃古紙水溶液が出来る。